(57)【要約】【課題】ＨＤＤユニット単体でＨＤＤユニットに記憶されたデータの消去又はデータの読み込みを不可とする物理的破壊を行えるようにする。【解決手段】ＨＤＤユニット４にホワイトニングプログラムと、そのホワイトニングプログラムを実行する回路１１を設ける。ＨＤＤユニット４にパソコン動作モードかホワイトニングプログラムかを切り換えるドライブジャンパピン２０を設ける。ホワイトニングプログラムを実行する場合、ドライブジャンパピン２０を切り換えればＨＤＤユニット４への電源供給によってホワイトニングプログラムが起動し、ＨＤＤユニット４単体でホワイトニングプログラムを実行してＨＤＤユニット４に記憶された全てデータが消去される。【選択図】図２
2009043362.tif 000002
【特許請求の範囲】
【請求項１】
パソコンなどの電子機器に搭載されるハードディスクドライブであって、このハードディスクドライブには、少なくとも該ハードディスクのファームウェアーに記憶されたデータを消去するホワイトニングプログラムと、このホワイトニングプログラムの起動プログラムと、前記ハードディスクドライブへの電源供給時に前記電子機器の通常起動モードかホワイトニングプログラムの起動モードかを切り換える切換手段とを設けたことを特徴とするホワイトニング機能を備えたハードディスクドライブ。
【請求項２】
前記切換手段が、ハードディスクドライブに設けたスイッチから成り、かつ、このスイッチが外部から操作できないように前記電子機器の筐体内に配置されていることを特徴とする請求項１記載のホワイトニング機能を備えたハードディスクドライブ。
【請求項３】
パソコンなどの電子機器に搭載されるハードディスクドライブであって、このハードディスクドライブには少なくとも、該ハードディスクドライブのディスクを物理的に破壊し、該ディスクに記憶されたデータの読み込みを不能とする物理的破壊手段を設けたことを特徴とする物理的破壊機能を備えたハードディスクドライブ。
【請求項４】
前記物理的破壊手段として包装体に密閉した粒体を前記ハードディスクドライブのケース内に内蔵するとともに、前記ケースには、前記包装体を破って内部の粒体をケース内に飛散させるための開閉可能な開口窓部を設けたことを特徴とする請求項３記載の物理的破壊機能を備えたハードディスクドライブ。
【発明の詳細な説明】
【技術分野】
【０００１】
本発明は、パーソナルコンピュータ（以下、パソコンと称する）などの電子機器に装備されるハードディスクドライブ（以下、ＨＤＤと称する）に記憶されたデータの消去又はハードディスクを物理的に破壊することによって、ＨＤＤに記憶されたデータの読み取り不可としてデータの漏洩・流出を防止するホワイトニング又は物理的破壊機能を備えたハードディスクドライブに関するものである。
【背景技術】
【０００２】
近年のパソコンの技術的進化の高速化あるいはパソコンに搭載する基本ＯＳが変わるなどのタイミングでパソコンを買い換える機会が多く、それに伴い、パソコンの買い換えサイクルも早く、製品寿命のサイクルが短くなってきている。このようなパソコンの買い換えサイクルの短縮化により、買い換えの際、それまで使用していたパソコンを廃棄したり、あるいは他人に譲渡するなど機会が増えているが、使用済みのパソコンに搭載したＨＤＤに記憶されたデータから社内の機密や個人の重要な情報などが流出する危険性が指摘される。このため、パソコンをリサイクルする場合、情報保持の面からＨＤＤのディスクに記憶されたデータの消去あるいはＨＤＤを物理的に破壊してディスクに記憶されたデータを読み込めない状態とすることが極めて重要な課題となっている。
【０００３】
そこで、特許文献１にはＨＤＤに記憶されたデータをホワイトニング（ｗｈｉｔｅｎｉｎｇ＝まっ白にする）してＨＤＤに記憶された情報を消去するための技術が開示されている。これは、フロッピー（登録商標）ディスクなどの記憶媒体にＭＳ−ＤＯＳシステム、自動起動ファイル、ホワイトニングプログラムをインストールし、パソコンのＡドライブに前記フロッピー（登録商標）ディスクを挿入して電源を投入することにより、記憶媒体に記憶された前記ＭＳ−ＤＯＳでパソコン（ＰＣ−ＡＴ互換機）に読み込まれて、ＭＳ−ＤＯＳシステムにより自動起動ファイルを自動的に読み込ませることによって、ホワイトニングプログラムを起動してＨＤＤに記憶されたデータの消去を行うように構成している。
【０００４】
【特許文献１】特開２００１−３４４０７１号公報
【発明の開示】
【発明が解決しようとする課題】
【０００５】
しかし、特許文献１に示すハードディスクのホワイトニングシステムは、ホワイトニング対象であるＨＤＤとは異なる記憶媒体（特許文献１の具体例としてフロッピー（登録商標）ディスク）にホワイトニングシステムと、その自動起動ファイルを記憶していることから、記憶媒体を読み取るための専用のドライブ装置をＨＤＤとは別に用意する必要があり、ＨＤＤ単体ではホワイトニングを行えない。このため、パソコンにはホワイトニングシステムを記憶したフロッピー（登録商標）ディスクドライブに対応していないドライブ装置を搭載したパソコンにおいては、ホワイトニングシステムを起動することができず、ホワイトニングを行えない。すなわち、近年では、ＨＤＤに付帯するドライブ装置は、より記憶容量の大きな記憶媒体が読み取り・書き込みが行えるドライブ装置へと移行し、前記フロッピー（登録商標）ディスクに変わり光ディスクドライブ、さらには、光ディスクドライブより記憶容量の多い記憶媒体へと移行しつつあり、近年のパソコンの技術的進化の高速化と相まって、ある特定の記憶媒体にホワイトニングシステムを記憶するシステムでは、将来的に異なるドライブ装置へと移行した場合、動作しない危険がある。さらに、エラーが発生したＨＤＤがＯＳ（Ｏｐｅｒａｔｉｎｇ  Ｓｙｓｔｅｍ）やＢＩＯＳに認識されない場合は消去作業を行えないといった心配もあるとともに、例えば、サーバーや大規模なパソコン環境では、１台のパソコンに複数台のＨＤＤを搭載するケースも増えているが、特許文献１では、１台毎にホワイトニングすることしかできないから、ホワイトニング処理に時間がかかり、効率的なホワイトニングが望めない、という課題を有していた。
【０００６】
本発明は、上記した点に鑑み、特定の機器に依存することなく、ＨＤＤ単体でホワイトニングプログラムの実行又はＨＤＤの物理的破壊が可能なホワイトニング又はＨＤＤの物理的破壊機能を備えたハードディスクドライブを提供することを目的とする。
【課題を解決するための手段】
【０００７】
請求項１のホワイトニング機能を備えたハードディスクドライブは、パソコンなどの電子機器に搭載されるハードディスクドライブであって、このハードディスクドライブには、少なくとも該ハードディスクのファームウェアーに記憶されたデータを消去するホワイトニングプログラムと、このホワイトニングプログラムの起動プログラムと、前記ハードディスクドライブへの電源供給時に前記電子機器の通常起動モードかホワイトニングプログラムの起動モードかを切り換える切換手段とを設けたことを特徴とする。
【０００８】
請求項１の構成により、ホワイトニングプログラムの対象となるハードディスクドライブユニットの電源をオフし、切換手段によって電子機器の動作モードからホワイトニングプログラムの実行モードへ切り換える。この後、ハードディスクドライブユニットに電源を供給すれば、ホワイトニングプログラムの実行処理が開始される。
【０００９】
請求項２のホワイトニング機能を備えたハードディスクドライブは、前記切換手段が、ハードディスクドライブに設けたスイッチから成り、かつ、このスイッチが外部から操作できないように前記電子機器の筐体内に配置されていることを特徴とする。
【００１０】
請求項２の構成によれば、電子機器の筐体からハードディスクドライブユニットを取り外した後、スイッチによって電子機器の動作モードからホワイトニングプログラムの実行モードへ切り換え、ハードディスクドライブユニットに電源を供給すれば、ホワイトニングプログラムの実行処理が開始される。
【００１１】
請求項３の物理的破壊機能を備えたハードディスクドライブは、パソコンなどの電子機器に搭載されるハードディスクドライブであって、このハードディスクドライブには少なくとも、該ハードディスクドライブのディスクを物理的に破壊し、該ディスクに記憶されたデータの読み込みを不能とする物理的破壊手段を設けたことを特徴とする。
【００１２】
請求項３の構成によれば、物理的破壊手段によってハードディスクドライブのディスクの記憶面を物理的破壊することで、ディスクに記憶されたデータの読み込みが不可能となる。
【００１３】
請求項４の物理的破壊機能を備えたハードディスクドライブは、前記物理的破壊手段として包装体に密閉した粒体を前記ハードディスクドライブのケース内に内蔵するとともに、前記ケースには、前記包装体を破って内部の粒体をケース内に飛散させるための開閉可能な開口窓部を設けたことを特徴とする。
【００１４】
請求項４の構成により、物理的破壊の対象となるハードディスクドライブユニットの電源をオフし、ケース内に粒体を飛散させた後、ハードディスクドライブユニットの電源をオンしてディスクを回転する。これにより、ハードディスクドライブユニットの磁気ヘッドとディスクの隙間に粒体が挟まり、粒体が挟まった状態のままディスクを回転するのに伴ってディスクの記憶面が粒体によって損傷し、ディスクの読み取りが不可能となる。
【発明の効果】
【００１５】
請求項１のホワイトニング機能を備えたハードディスクドライブによれば、パソコンなどの電子機器に搭載されるハードディスクドライブであって、このハードディスクドライブには、少なくとも該ハードディスクのファームウェアーに記憶されたデータを消去するホワイトニングプログラムと、このホワイトニングプログラムの起動プログラムと、前記ハードディスクドライブへの電源供給時に前記電子機器の通常起動モードかホワイトニングプログラムの起動モードかを切り換える切換手段とを設けたものであるから、ハードディスクドライブ単体でホワイトニングプログラムが実行可能であり、ハードディスクドライブに記憶された全てデータを消去することができる。これにより、ホワイトニングプログラムを実行するためのドライブ装置を別途、設ける必要がなく、長期に渡って安定的にハードディスクドライブのホワイトニング処理を行うことができる。さらに、複数のハードディスクドライブを同時にホワイトニングすることが可能となり、短時間でホワイトニング処理を行うことができるから、作業時間を大幅に短縮化できる。
【００１６】
請求項２のホワイトニング機能を備えたハードディスクドライブによれば、前記切換手段が、ハードディスクドライブに設けたスイッチから成り、かつ、このスイッチが外部から操作できないように前記電子機器の筐体内に配置されているから、スイッチを誤操作して不用意にホワイトニングが実行されることはない。
【００１７】
請求項３の物理的破壊機能を備えたハードディスクドライブによれば、パソコンなどの電子機器に搭載されるハードディスクドライブであって、このハードディスクドライブには少なくとも、該ハードディスクドライブのディスクを物理的に破壊し、該ディスクに記憶されたデータの読み込みを不能とする物理的破壊手段を設けたものであるから、ハードディスクドライブ単体でディスクを物理的に破壊することができるとともに、複数のハードディスクドライブを同時に破壊することが可能となり、破壊処理時間を短縮化できる。また、ディスクを物理的に破壊することでより確実にハードディスクドライブに記憶されたデータの流出も防げる。
【００１８】
請求項４の物理的破壊機能を備えたハードディスクドライブによれば、前記物理的破壊手段として包装体に密閉した粒体を前記ハードディスクドライブのケース内に内蔵するとともに、前記ケースには、前記包装体を破って内部の粒体をケース内に飛散させるための開閉可能な開口窓部を設けたことにより、ハードディスクドライブのケース内に粒体を収納した包装体を収納するといった簡単な構成で、ハードディスクの破壊時に包装体を破くだけで、簡単にハードディスクドライブを物理的に破壊することが可能となる。
【発明を実施するための最良の形態】
【００１９】
以下、本発明の具体的実施例について、図面を参照しながら説明する。なお、以下の実施態様は、本発明を具体化する際の一形態であって、本発明をその範囲内に限定するためのものではない。
【実施例１】
【００２０】
図１は本発明の実施例１を示すパソコンの構成の概略を示す正面図、図２はＨＤＤユニットの構成の概略を示す分解斜視図、図３はホワイトニングプログラム処理を示すフローチャートである。
【００２１】
図１において、１はパソコンであり、ディスプレイ２、キーボード３を備えており、このパソコン１の筐体１Ａ内にホワイトニングの対象であるハードディスクドライブユニット（以下、ＨＤＤユニットと称す）４が内蔵されている。
【００２２】
図２に示すように、前記ＨＤＤユニット４は、記録用磁性層が設けられたディスク５、そのディスク５を駆動するためのモータなどの駆動機構６、ディスク５内に記憶されているデータの読取・書込等を行なうための磁気ヘッド７、ＨＤＤユニット４の制御する制御基板８などから構成され、これらの各構成部品をＨＤＤユニット４のケース９内に収納している。前記制御基板８には、前記駆動機構６や磁気ヘッド７等を制御して、ハードディスク５内に記憶されているデータの読取・書込等を実行させる制御回路が形成された従来のものと同様であるが、ホワイトニングプログラムと、ホワイトニングプログラムを実行する回路（ＩＣチップ）１１と、電源投入時にパソコンのＯＳが記憶されたディスクのアドレス等を指定して通常のパソコン動作モードとするか前記ホワイトニングプログラムを指定するかの切換手段として、ＨＤＤユニット４のケース９にドライブジャンパピン２０が設けられている。このドライブジャンパピン２０は、従来においても、読み書きの対象となるディスクのセクタ等を指定するためのものとして設けられているが、本実施例では、通常のディスクのアドレス等を指定するドライブジャンパピン２０Ａとともに、ホワイトニングプログラムを実行させる新たなドライブジャンパピン２０を追加している。なお、切換手段としては、例えば、ドライブジャンパピンにジャンパピンを挿してショートさせると読み書きの対象となるディスクのアドレス等を指定する通常のパソコン動作モードとなり、ジャンパピンを挿さないでオープンにした場合はホワイトニングプログラムの実行モードとなるように構成してもよく、要は通常のパソコン動作モードかホワイトニングプログラムの実行モードかを切り換える構成であればよい。また、ＨＤＤユニット４には、パソコン１のメイン基板と接続する接続コネクタ２１や電源コネクタ２１Ａが設けられ、電源コネクタ２１ＡからＨＤＤユニット４の制御基板８に電源が供給される。また、ＨＤＤユニット４は、パソコン１の筐体１Ａ内において着脱自在に固定され、筐体１Ａ内に固定されている状態においては、筐体１Ａの外面からドライブジャンパピン２０，２０Ａを直接、操作することができないが、筐体１Ａの一部の壁面を取り外して、ＨＤＤユニット４を筐体１Ａ内から取り外すことによってドライブジャンパピン２０による前記ホワイトニングプログラムの実行へと切り換えることが可能となる。また、前記筐体１Ａの外面側には、一般的なパソコンと同様、ＨＤＤユニット４への電源供給時に点灯する電源ランプ２３と、ＨＤＤユニット４のアクセスランプ２５が設けられている。また、筐体１Ａと制御基板８には、ホワイトニングプログラムによってＨＤＤユニット４の最後のシリンダまで消去した際に消灯する確認ランプ２２が設けられている。確認ランプ２２は通常動作では点滅するが、アクセスランプ２２の点滅の設定は自由である。
【００２３】
以上のように構成されるＨＤＤユニット４は、ＨＤＤユニット４に設けたドライブジャンパピン２０によって、パソコン動作モードかホワイトニングプログラムの実行モードかを切り換えることが可能であり、図３を参照してホワイトニングプログラムの実行処理について説明する。
【００２４】
図３のフローチャートで示すようにホワイトニングプログラムの対象となるＨＤＤユニット４の電源をオフし（ステップＳ１）、ＨＤＤユニット４を筐体１Ａ内から取り外す（ステップＳ２）。このように、筐体１Ａから取り外した状態においてドライブジャンパピン２０をパソコン動作モードからホワイトニングプログラムの実行モードへ切り換える（ステップＳ３）。この後、パソコン１の電源オンにより（ステップＳ４）、ホワイトニングプログラムの実行処理が開始される（ステップＳ５）。すなわち、ホワイトニングプログラムはハードディスクの全セクタ内に指定された値で上書きする。この上書き値は、意味を持たない情報であれば如何なる値であってもよく、要するに同じ値であれば全ての認識されたセクタに上書きされればホワイトニング処理される。そして、ＨＤＤユニット４の最後のシリンダまで上書きされば、ホワイトニング処理が完了し（ステップＳ６）、確認ランプ２２が点灯する（ステップＳ７）。ユーザは、確認ランプ２２の点灯により、ホワイトニングの処理が完了したことを確認した後、パソコン１の電源をオフし、ドライブジャンパピン２０をホワイトニングプログラムの実行モードからパソコン動作モードへと戻してからＨＤＤユニット４を筐体１Ａに戻す。この後、パソコン１の電源をオンしてそのパソコン１を立ち上げる（ステップＳ８）。ここでパソコン１のアクセスランプ２５が点灯しないとともに、パソコン１が立ち上がらないことを確認することでユーザはホワイトニング処理が正常に行われ、ホワイトニング処理が完了したことを確認でき（ステップＳ９）、ホワイトニング作業は完了する。
【００２５】
以上のように、本実施例においては、ＨＤＤユニット４にホワイトニングプログラムと、そのホワイトニングプログラムを実行する回路１１を設けるとともに、ＨＤＤユニット４に設けたドライブジャンパピン２０の設定によりパソコン動作モードとするかホワイトニングプログラムを実行するかの切り換えを可能とすることにより、ＨＤＤユニット４単体でＨＤＤユニット４のホワイトニングプログラムが実行可能であり、そのホワイトニングプログラムによりＨＤＤユニット４に記憶された全てデータを消去することができる。したがって、そのホワイトニングプログラムを実行するためのドライブ装置を別途、設ける必要がない。これにより、パソコン１に付帯するドライブ装置に依存することなく、ＨＤＤユニット４単体でホワイトニングプログラムが実行可能となるから、長期に渡って安定的にＨＤＤユニット４のホワイトニング処理を行うことができる。また、ＨＤＤユニット４の増設などによって１台のパソコン１に複数台のＨＤＤユニット４を搭載する場合であってもこれらＨＤＤユニット４それぞれにホワイトニングプログラムが組み込まれているから、複数のＨＤＤユニット４を一斉にホワイトニング処理して短時間でホワイトニング処理を行うことができ、作業時間の大幅な短縮化並びに作業効率が向上が図られる。さらに、確認ランプ２２を設けることで、ユーザはホワイトニング処理が完了したことを簡単に確認でき、また、その後、パソコン１が立ち上がらなければ、ユーザはホワイトニング処理が正常に行われたと確認でき、安心してＨＤＤユニット４の廃棄又は譲渡することができる。
【実施例２】
【００２６】
図４及び図５は本発明の実施例２を示しており、前記実施例１と共通する部分には共通する符号を付し、実施例１と重複する部分の説明を省略し、異なる部分についてのみ説明する。
【００２７】
前記実施例１においては、ＨＤＤユニット４にホワイトニングプログラムを組み込んだ例を示したが、本実施例においては、ＨＤＤユニット４の内部にディスク５のデータの読み込みを不能とする破壊手段を内蔵している。
【００２８】
破壊手段の具体例としては、図４の分解斜視図に示すように、ＨＤＤユニット４内に粒体３０を密閉した包装体３１を内蔵し、前記ＨＤＤユニット４のケース９内に収納している。この包装体３１は前記ケース９のコーナー部に形成する仕切り壁９Ａによって前記ケース９内の角部に位置決め状態で収納され、かつ、前記ケース９には、包装体３１と対応してカバー３２で覆われた開口窓部３３が形成されている。そして、前記カバー３２をケース９の外面側から破って先鋭状の道具などによって包装体３１を破壊し、ケース９を振るなどして包装体３１内の粒体３０をケース９内に飛散させる。なお、粒体３０は砂やガラスを細かく砕いたものなど比較的、硬度な材質であり、また、ディスク５と磁気ヘッド７との隙間に入り込むだけの粒径である。また、本実施例では、ドライブジャンパピン２０の設定によりパソコン動作モードとするか物理的破壊モードを実行するかの切り換えを行う。なお、物理的破壊モードとは、ディスク５が回転するモードである。
【００２９】
以上のように構成されるＨＤＤユニット４は、図５のフローチャートで示すようにまずＨＤＤユニット４の電源をオフし（ステップＳ１１）、ＨＤＤユニット４を筐体１Ａ内から取り外す（ステップＳ１２）。このように、筐体１Ａから取り外した状態においてドライブジャンパピン２０をパソコン動作モードからディスク５の物理的破壊モードへと切り換える（ステップＳ１３）。この後、ケース９のカバー３２を破ってケース９の外面側から包装体３１を破壊する。そして、ＨＤＤユニット４を振るなどしてケース９内に包装体３１の粒体３０をケース９内に飛散させた後（ステップＳ１４）、パソコン１の電源をオンしてディスク５を回転する（ステップＳ１５）。これにより、磁気ヘッド７とディスク５の隙間に粒体３０が挟まり、粒体３０が挟まったままディスク５が回転し、ディスク５の記憶面が粒体３０によって損傷し、ディスク５の所定時間回転させることによって、ディスク５の物理的な破壊が実行される。この後、パソコン１の電源をオフしてＨＤＤユニット４を筐体１Ａに戻して再度、パソコン１の電源をオンしてそのパソコン１を立ち上げる（ステップＳ１７）。ここでパソコン１のアクセスランプ２５が点灯しないとともに、パソコン１が立ち上がらないことを確認することでユーザはディスク５が物理的に破壊されディスク５のデータの読込みが不能である確認でき（ステップＳ１８）、物理的破壊作業は完了する。
【００３０】
以上のように、本実施例においては、ＨＤＤユニット４のケース９内に粒体３０を収納した包装体３１を収納し、その粒体３０をケース９内に飛散させてディスク５の回転に伴ってディスク５の記憶面を粒体３０によって損傷することでディスク５を物理的に破壊することができる。このように、ＨＤＤユニット４のディスク５を物理的に破壊することでディスク５の読み取りが不可となるから、より確実にＨＤＤユニット４からデータが漏洩するといったトラブルを防止することができる。また、ディスク５の物理的破壊は前記実施例１と同様、ＨＤＤユニット４単体で行えるのでパソコン１に付帯するドライブ装置に依存することなく、ＨＤＤユニット４を物理的に破壊することができとともに、複数台のＨＤＤユニット４を同時に破壊処理することができるから、作業も効率的である。
【００３１】
以上、本発明の実施例について詳述したが、本発明の前記各実施例に限定されるものではなく、本発の要旨の範囲内で種々の変形実施が可能である。例えば、前記実施例では、ＨＤＤユニット４にホワイトニングプログラム又は物理的破壊手段の何れか一方を組み込んだ例を示したが、ホワイトニングプログラムと物理的破壊手段の両方をＨＤＤユニット４に組み込み、ユーザがホワイトニングプログラムか物理的破壊手段かをドライブジャンパピンで選択するように構成してもよい。また、実施例２に示す物理的破壊手段についても、例えば、先端が鋭く尖った針状の破壊体を昇降自在に設け、その破壊体を適宜駆動手段で降下させてディスク５に押し当てることによってディスク５を物理的に破壊するように構成してもよく、物理的破壊手段の構成あるいはＨＤＤユニットあるいはパソコンシステムの基本的構成も前記実施例に限定されるものではない。また、切換手段としてこの種のＨＤＤユニットの設定用として広く利用されるドライブジャンパピンを用いた例を示したが、例えば、トルグスイッチやプッシュ式スイッチなど各種スイッチを用いることができる。
【図面の簡単な説明】
【００３２】
【図１】本発明の実施例１を示すパソコンの構成の概略を示す斜視図である。
【図２】同上、ＨＤＤユニットの構成の概略を示す分解斜視図である。
【図３】同上、ホワイトニングプログラム処理を示すフローチャートである。
【図４】本発明の実施例２をＨＤＤユニットの構成の概略を示す分解斜視図である。
【図５】同上、物理的破壊処理を示すフローチャートである。
【符号の説明】
【００３３】
１    パソコン
４    ＨＤＤユニット
５    ディスク
１１  ＩＣチップ（ホワイトニングプログラムと起動プログラム）
２０  ドライブジャンパピン（切換手段）
３０  粒体（物理的破壊手段）
【図１】
2009043362.tif 000003
【図２】
2009043362.tif 000004
【図３】
2009043362.tif 000005
【図４】
2009043362.tif 000006
【図５】
2009043362.tif 000007